(57)【要約】【課題】本発明は、原稿読取装置において、原稿が読取位置からずれるのを効果的に防止することを目的とする。【解決手段】原稿１を載置するコンタクトガラス２１と、前記原稿１の少なくとも１辺の端面と接して原稿１の位置決めを行う基準端面２２、２３とからなる原稿載置台２を有し、前記基準端面２２、２３に前記原稿１の端面を当接して位置決めし、前記原稿１を読み取る原稿読取装置において、前記基準端面２２、２３の少なくとも一部を、Ｌ字状の原稿固定プレート４により形成し、この原稿固定用プレート４の前記基準端面２２、２３に前記原稿１が取外し可能な粘着部４１を形成するとともに、このＬ字状の原稿固定プレート４を原稿載置台２に取外し可能に固着する。【選択図】図１
2004264722.tif 000002
【特許請求の範囲】
【請求項１】
原稿を載置するコンタクトガラスと、前記原稿の少なくとも１辺の端面と接して原稿の位置決めを行う基準端面とからなる原稿載置台を有し、前記基準端面に前記原稿の端面を当接して位置決めし、前記原稿を読み取る原稿読取装置において、
前記基準端面の少なくとも一部を、Ｌ字状の原稿固定プレートにより形成し、この原稿固定用プレートの前記基準端面に前記原稿が取外し可能な粘着部を形成するとともに、このＬ字状の原稿固定プレートを原稿載置台に取外し可能に固着したことを特徴とする原稿読取装置。
【請求項２】
原稿を載置するコンタクトガラスと、前記原稿の少なくとも１辺の端面と接して原稿の位置決めを行う基準端面とからなる原稿載置台を有し、前記基準端面に前記原稿の端面を当接して位置決めし、前記原稿を読み取る原稿読取装置において、
前記基準端面の少なくとも一部に前記原稿が取外し可能な粘着部を形成したことを特徴とする原稿読取装置。
【請求項３】
原稿を載置するコンタクトガラスと、前記原稿の少なくとも１辺の端面と接して原稿の位置決めを行う基準端面とからなる原稿載置台を有し、前記基準端面に前記原稿の端面を当接して位置決めし、前記原稿を読み取る原稿読取装置において、
前記基準端面の少なくとも一部を、前記基準端面に隣接する上面との間にテーパー面を有する原稿固定プレートにより形成し、この原稿固定用プレートの前記テーパー面から基準端面に跨って前記原稿が取外し可能な粘着部を形成するとともに、この原稿固定プレートを原稿載置台に取外し可能に固着したことを特徴とする原稿読取装置。
【請求項４】
原稿を載置するコンタクトガラスと、前記原稿の少なくとも１辺の端面と接して原稿の位置決めを行う基準端面とからなる原稿載置台を有し、前記基準端面に前記原稿の端面を当接して位置決めし、前記原稿を読み取る原稿読取装置において、
前記基準端面の少なくとも一部を、あり形状の原稿固定プレートにより形成し、このあり形状の原稿固定プレートを前記原稿載置台に形成されたあり溝に装着するとともに、この原稿固定用プレートの前記基準端面に前記原稿が取外し可能な粘着部を形成したことを特徴とする原稿読取装置。
【請求項５】
前記基準端面の反対側の端面側の前記あり形状の原稿固定用プレートまたは／および原稿載置台に、前記あり形状の原稿固定用プレートを取外すための切欠きを形成したことを特徴とする請求項４記載の原稿読取装置。
【請求項６】
前記基準端面に形成される原稿が取外し可能な粘着部を、粘着テープで形成したことを特徴とする請求項１記載乃至請求項５いずれか１つに記載の原稿読取装置。
【請求項７】
前記基準端面に形成される原稿が取外し可能な粘着部を、粘着性樹脂で形成したことを特徴とする請求項１記載乃至請求項５いずれか１つに記載の原稿読取装置。
【発明の詳細な説明】
【０００１】
【発明の属する技術分野】本発明は、フラッドベットのスキャナー、複写機、ファクシミリ装置、複合機およびＯＨＰ等に用いられる原稿読取装置に関し、特に原稿が読取位置からずれるのを効果的に防止するようにしたものである。
【０００２】
【従来の技術】周知の通り、フラッドベットのスキャナー、複写機、ファクシミリ装置、複合機およびＯＨＰ等に用いられる原稿読取装置にあっては、原稿を載置するコンタクトガラスと、前記原稿の少なくとも１辺の端面と接して原稿の位置決めを行う基準端面などにより原稿載置台を形成し、前記基準端面に前記原稿の端面を当接して位置決めし、原稿の上からカバーを被せて前記原稿を読み取るようにしている。
【０００３】ところが、上述のような構成では、前記カバーを被せるときにその風圧などにより、所定位置からずれたり、傾くことがある。この場合は、再度原稿の読取りが必要となり、その時間および手間が大変である他、複写機などにあっては、ずれたり、傾いた状態でコピーされるため、再度コピーされるため資源の無駄使いとなる。
【０００４】この対策として従来では、例えば原稿を載置するコンタクトガラスを帯電可能なものとし、このコンタクトガラス上に原稿を載置後、帯電制御手段により前記コンタクトガラスを帯電することにより、原稿が読取位置からずれるのを防止するようにしたものがある（例えば、特許文献１参照）。
【０００５】
【特許文献１】
特開平１０−２７１２８９号公報
【０００６】
【発明が解決しようとする課題】しかし、このような構成によれば、コンタクトガラスとして特殊なものとなる他、別途帯電制御手段が必要となるとともに、その配線などを行わなければならず、価格的に極めて高価なものとなるなどと言った点で問題があった。
【０００７】本発明は、上述した問題を解決するためになされたものであり、原稿読取装置において、原稿が読取位置からずれたり、傾いたりするのをきわめて簡単な構成で防止し、正しい読取位置に原稿が保持できる原稿読取装置を提供することを目的とする。
【０００８】
【課題を解決するための手段】かかる目的を達成するため、請求項１記載の発明では、原稿を載置するコンタクトガラスと、前記原稿の少なくとも１辺の端面と接して原稿の位置決めを行う基準端面とからなる原稿載置台を有し、前記基準端面に前記原稿の端面を当接して位置決めし、前記原稿を読み取る原稿読取装置において、前記基準端面の少なくとも一部を、Ｌ字状の原稿固定プレートにより形成し、この原稿固定用プレートの前記基準端面に前記原稿が取外し可能な粘着部を形成するとともに、このＬ字状の原稿固定プレートを原稿載置台に取外し可能に固着する。
【０００９】請求項１記載の発明の構成によれば、原稿を読み取る際、当該原稿を、基準端面に沿って載置すれば、原稿はその基準端面の一部を形成するＬ字状の原稿固定プレートに形成された粘着部により固着される。従って、その後カバーを被せても、その際の風圧などにより原稿が、ずれたり、傾いたりするのが防止できる。その結果、原稿を正しい読取位置に保持することができる。また、粘着部は、原稿載置台に取外し可能なＬ字状の原稿固定プレートに形成されているので、粘着力が低下した場合、このＬ字状の原稿固定プレートのみを取換えれば良く、きわめて経済的である。
【００１０】請求項２記載の発明では、原稿を載置するコンタクトガラスと、前記原稿の少なくとも１辺の端面と接して原稿の位置決めを行う基準端面とからなる原稿載置台を有し、前記基準端面に前記原稿の端面を当接して位置決めし、前記原稿を読み取る原稿読取装置において、前記基準端面の少なくとも一部に前記原稿が取外し可能な粘着部を形成する。
【００１１】請求項２記載の発明の構成によれば、原稿を読み取る際、当該原稿を、基準端面に沿って載置すれば、原稿はその基準端面の一部に形成された粘着部により固着される。従って、その後カバーを被せても、その際の風圧などにより原稿が、ずれたり、傾いたりするのが防止できる。その結果、原稿を正しい読取位置に保持することができる。
【００１２】請求項３記載の発明では、原稿を載置するコンタクトガラスと、前記原稿の少なくとも１辺の端面と接して原稿の位置決めを行う基準端面とからなる原稿載置台を有し、前記基準端面に前記原稿の端面を当接して位置決めし、前記原稿を読み取る原稿読取装置において、前記基準端面の少なくとも一部を、前記基準端面に隣接する上面との間にテーパー面を有する原稿固定プレートにより形成し、この原稿固定用プレートの前記テーパー面から基準端面に跨って前記原稿が取外し可能な粘着部を形成するとともに、この原稿固定プレートを原稿載置台に取外し可能に固着する。
【００１３】請求項３記載の発明の構成によれば、原稿を読み取る際、当該原稿を、基準端面に沿って載置すれば、原稿はその基準端面の一部を形成するテーパー面を有する原稿固定プレートに形成された粘着部により固着される。従って、その後カバーを被せても、その際の風圧などにより原稿が、ずれたり、傾いたりするのが防止できる。その結果、原稿を正しい読取位置に保持することができる。また、粘着部は、原稿載置台に取外し可能なテーパー面を有する原稿固定プレートに形成されているので、粘着力が低下した場合、このテーパー面を有する原稿固定プレートのみを取換えれば良く、きわめて経済的である。
【００１４】請求項４記載の発明では、原稿を載置するコンタクトガラスと、前記原稿の少なくとも１辺の端面と接して原稿の位置決めを行う基準端面とからなる原稿載置台を有し、前記基準端面に前記原稿の端面を当接して位置決めし、前記原稿を読み取る原稿読取装置において、前記基準端面の少なくとも一部を、あり形状の原稿固定プレートにより形成し、このあり形状の原稿固定プレートを前記原稿載置台に形成されたあり溝に装着するとともに、この原稿固定用プレートの前記基準端面に前記原稿が取外し可能な粘着部を形成する。
【００１５】請求項４記載の発明の構成によれば、原稿を読み取る際、当該原稿を、基準端面に沿って載置すれば、原稿はその基準端面の一部を形成するあり形状の原稿固定プレートに形成された粘着部により固着される。従って、その後カバーを被せても、その際の風圧などにより原稿が、ずれたり、傾いたりするのが防止できる。その結果、原稿を正しい読取位置に保持することができる。また、粘着部は、原稿載置台に形成されたあり溝に装着されたあり形状の原稿固定プレートに形成されているので、簡単に取り外すことができる。この結果、粘着力が低下した場合、このあり形状の原稿固定プレートのみを取換えれば良く、きわめて経済的である。
【００１６】請求項５記載の発明では、前記基準端面の反対側の端面側の前記あり形状の原稿固定用プレートまたは／および原稿載置台に、前記あり形状の原稿固定用プレートを取外すための切欠きを形成する。
【００１７】請求項５記載の発明の構成によれば、あり形状の原稿固定用プレートまたは／および原稿載置台に、前記あり形状の原稿固定用プレートを取外すための切欠きが形成されているので、この切欠きに指を入れ、あり形状の原稿固定用プレートを原稿載置台から取り外すことができ。この結果、ドライバーなどの工具を必要とせずに、きわめて簡単に、あり形状の原稿固定用プレートの取換えができ都合がよい。
【００１８】請求項６記載の発明では、前記基準端面に形成される原稿が取外し可能な粘着部を、粘着テープで形成する。
【００１９】請求項６記載の発明の構成によれば、粘着力が低下した場合、粘着部の古くなった粘着テープを取外し、新しい粘着テープに取換えればよく、きわめて経済的である。
【００２０】請求項７記載の発明では、前記基準端面に形成される原稿が取外し可能な粘着部を、粘着性樹脂で形成する。
【００２１】請求項７記載の発明の構成によれば、粘着力が低下した場合、粘着部に付着した塵埃を水やウェットティッシュなどにより拭い取れすればよく、きわめて経済的である。
【００２２】
【発明の実施の形態】以下、本発明の一実施の形態を図１乃至図３に基づき説明する。図１は、本発明の一実施の形態による原稿読取装置の概略平面図、図２は、図１の要部を拡大して示す拡大断面図、図３は、Ｌ字状の原稿固定用プレートの斜視図である。
【００２３】この原稿読取装置は、原稿１を載置する原稿載置台２と、原稿１を読み取る際、この原稿１の上から被せるカバー３とを備えている。前記原稿載置台２は、原稿１を載置するコンタクトガラス２１と、前記原稿１の少なくとも１辺、この例ではＸ軸およびＹ軸の２辺の端面と接して原稿１の位置決めを行うＸ軸の基準端面２２およびＹ軸の基準端面２３と備えており、前記両基準端面２２、２３の少なくとも一部は、Ｌ字状の原稿固定プレート４により形成されている。この原稿固定プレート４の前記Ｘ軸の基準端面２２およびＹ軸の基準端面２３を形成する端面には、例えば両面粘着テープあるいは粘着性樹脂などからなり、前記原稿１が取外し可能な粘着部４１が形成されている。また、この原稿固定プレート４には、皿状の貫通孔４２が設けられ、前記原稿載置台２に皿ネジ５などにより取外し可能に固着されている。通常、前記原稿載置台２は、合成樹脂などからなり、樹脂成形により一体的に製作され、図示しない本体部を収納する筐体の一部を構成している。なお、図中６は、電源スイッチなどの操作ボタンである。
【００２４】次に、以上のような実施の形態において、原稿１を読み取る操作手順について説明する。先ずカバー３を開き、Ｌ字状の原稿固定プレート４がその一部を形成するＸ軸の基準端面２２およびＹ軸の基準端面２３に、原稿１の２辺を沿わせて載置し、かつ該部に形成された粘着部４１に原稿１を固着する。その後、カバー３を被せ、操作ボタン６を操作するなどして原稿１を読取る。読取り完了後カバー３を開き、原稿１を粘着部４１から取外す。
【００２５】以上のような実施の形態では、原稿１は、カバー３を被せる前に、基準端面２２、２３の一部を形成するＬ字状の原稿固定プレート４に形成された粘着部４１により固着され、所定の位置に保持される。従って、その後、カバー３を被せても、その際の風圧などにより原稿１が、ずれたり、傾いたりすることがない。その結果、原稿１は、読取り時に正しい位置に保持することができる。また、粘着部４１は、原稿載置台２に取外し可能なＬ字状の原稿固定プレート４に形成されているので、粘着力が低下した場合、このＬ字状の原稿固定プレート４のみを取換えれば良く、きわめて経済的である。
【００２６】前記粘着部４１を両面粘着テープで形成すれば、粘着力が低下した場合、古くなった両面粘着テープを取り除き、新しい両面粘着テープを張りつければ良いので、Ｌ字状の原稿固定プレート４の再利用が可能となり経済的である。また、前記粘着部４１を粘着性樹脂で形成すれば、粘着力が低下した場合、粘着部に付着した塵埃を水やウェットティッシュなどにより拭い取れすれば良いので、この場合にも、Ｌ字状の原稿固定プレート４の再利用が可能となり経済的である。更に、このような作業は、Ｌ字状の原稿固定プレート４が、原稿載置台２に取外し可能に固着されているので、取外して両面粘着テープを取替たり、清掃することができ、その作業性が良い。
【００２７】次に、図４および図５に示す本発明の他の実施の形態について説明する。なお、同図において図１乃至図３と同じ符号を付した部分は略同一のものを示す。以下相違点を中心に説明する。
【００２８】図４は、本発明の他の実施の形態による原稿読取装置の要部のみを示す概略平面図、図５は、図４の要部を拡大して示す拡大断面図である。
【００２９】この形態では、原稿１の１辺であるＹ軸の端面と接して原稿１の位置決めを行うＹ軸の基準端面２３の一部が、断面がＬ字状の原稿固定プレート４により形成されている。そして、この断面がＬ字状の原稿固定プレート４の前記Ｙ軸の基準端面２３を形成する端面には、前述した形態のものと同様、例えば両面粘着テープあるいは粘着性樹脂などからなり、前記原稿１が取外し可能な粘着部４１が形成されている。また、この断面がＬ字状の原稿固定プレート４は、原稿載置台２にネジ５により取外し可能に固着されている。
【００３０】この構成によれば、前述した形態のものと同様、原稿１は、カバー３を被せる前に、基準端面２３の一部を形成する断面がＬ字状の原稿固定プレート４に形成された粘着部４１により固着され、所定の位置に保持される。従って、その後、カバー３を被せても、その際の風圧などにより原稿１が、ずれたり、傾いたりすることがない。その結果、原稿１は、読取り時に正しい位置に保持することができる。また、粘着部４１は、原稿載置台２に取外し可能なＬ字状の原稿固定プレート４に形成されているので、粘着力が低下した場合、この断面がＬ字状の原稿固定プレート４のみを取換えるか、前述したように粘着部４１の両面テープを取換えるか、あるいは粘着部４１に付着した塵埃を水やウェットティッシュなどにより拭い取るなどして、清掃すれば良く、きわめて経済的である。
【００３１】次に、図６および図７に示す本発明の更に他の実施の形態について説明する。なお、同図において図１乃至図５と同じ符号を付した部分は略同一のものを示す。以下相違点を中心に説明する。
【００３２】図６は、本発明の更に他の実施の形態による原稿読取装置の要部のみを示す概略平面図、図７は、図６の要部を拡大して示す拡大断面図である。
【００３３】この形態では、原稿１のＸ軸およびＹ軸の２辺の端面と接して原稿１の位置決めを行うＸ軸の基準端面２２およびＹ軸の基準端面２３の少なくとも一部は、Ｌ字状の原稿固定プレート４により形成されている。このＬ字状の原稿固定プレート４の前記Ｘ軸の基準端面２２およびＹ軸の基準端面２３に隣接する上面との間には、テーパー面４３が形成され、このテーパー面４３から前記基準端面２２、２３に跨って前記原稿が取外し可能な粘着部４１が、例えば両面テープや粘着性樹脂により形成されている。このテーパー面４３を有する原稿固定プレート４を原稿載置台２に、ネジ５などを用いて取外し可能に固着する。
【００３４】この構成によれば、前述した形態のものと同様の作用効果を奏する他、前記テーパー面４３から基準端面２２、２３に跨って前記原稿が取外し可能な粘着部４１を形成しているので、粘着部４１の取換えや、清掃がし易い他、カバー３を閉じたとき、このカバー３が粘着部４１と接触する危惧がなくなり、都合がよい。
【００３５】次に、図８乃至図１０に示す本発明の更に他の実施の形態について説明する。なお、同図において図１乃至図７と同じ符号を付した部分は略同一のものを示す。以下相違点を中心に説明する。
【００３６】図８は、本発明の更に他の実施の形態による原稿読取装置の要部のみを示す概略平面図、図９は、図８の要部を拡大して示す拡大断面図、図１０は、あり形状の原稿固定プレートの一例を示す概略図である。
【００３７】この形態では、原稿１のＸ軸およびＹ軸の２辺の端面と接して原稿１の位置決めを行うＸ軸の基準端面２２およびＹ軸の基準端面２３の少なくとも一部は、それぞれあり形状の原稿固定プレート４により形成し、このあり形状の原稿固定プレート４を前記原稿載置台２に形成されたあり溝２４に装着するとともに、この原稿固定用プレート４の前記基準端面２２、２３を形成する端面には、前記原稿１が取外し可能な粘着部４１を、例えば両面テープや粘着性樹脂などにより形成する。前記あり形状の原稿固定プレート４の基準端面２２、２３を形成する反対側の端面４５側に位置する前記あり形状の原稿固定用プレート４の端面４５および原稿載置台２の端面には、前記あり形状の原稿固定用プレート４を取外すための切欠き４４、２４を形成する。
【００３８】この構成によれば、前述した形態のものと同様の作用効果を奏する他、粘着部４１の取替えあるいは清掃する場合、あり形状の原稿固定プレート４を原稿載置台２から取外す際に前記切欠き４４、２４に指を入れて取外すことができるので、ドライバーなどの工具が必要でなく、都合がよい。前記切欠き４４、２４は、あり形状の原稿固定用プレート４または原稿載置台２のいずれか一方にのみ形成し、他方には設けなくても良いのは勿論である。
【００３９】なお、上述した各実施の形態は、本発明の好適な実施の形態の例であるが、これに限定されるものではなく、本発明の要旨を逸脱しない範囲において、種々変形実施可能である。
【００４０】
【発明の効果】以上説明したように、請求項１記載の発明では、原稿を読み取る際、当該原稿を、基準端面に沿って載置すれば、原稿はその基準端面の一部を形成するＬ字状の原稿固定プレートに形成された粘着部により固着される。従って、その後カバーを被せても、その際の風圧などにより原稿が、ずれたり、傾いたりするのが防止できる。その結果、原稿を正しい読取位置に保持することができる。また、粘着部は、原稿載置台に取外し可能なＬ字状の原稿固定プレートに形成されているので、粘着力が低下した場合、このＬ字状の原稿固定プレートのみを取換えれば良く、きわめて経済的である。
【００４１】また、請求項２記載の発明では、原稿を読み取る際、当該原稿を、基準端面に沿って載置すれば、原稿はその基準端面の一部に形成された粘着部により固着される。従って、その後カバーを被せても、その際の風圧などにより原稿が、ずれたり、傾いたりするのが防止できる。その結果、原稿を正しい読取位置に保持することができる。
【００４２】また、請求項３記載の発明では、原稿を読み取る際、当該原稿を、基準端面に沿って載置すれば、原稿はその基準端面の一部を形成するテーパー面を有する原稿固定プレートに形成された粘着部により固着される。従って、その後カバーを被せても、その際の風圧などにより原稿が、ずれたり、傾いたりするのが防止できる。その結果、原稿を正しい読取位置に保持することができる。また、粘着部は、原稿載置台に取外し可能なテーパー面を有する原稿固定プレートに形成されているので、粘着力が低下した場合、このテーパー面を有する原稿固定プレートのみを取換えれば良く、きわめて経済的である。
【００４３】また、請求項４記載の発明では、原稿を読み取る際、当該原稿を、基準端面に沿って載置すれば、原稿はその基準端面の一部を形成するあり形状の原稿固定プレートに形成された粘着部により固着される。従って、その後カバーを被せても、その際の風圧などにより原稿が、ずれたり、傾いたりするのが防止できる。その結果、原稿を正しい読取位置に保持することができる。また、粘着部は、原稿載置台に形成されたあり溝に装着されたあり形状の原稿固定プレートに形成されているので、簡単に取り外すことができる。この結果、粘着力が低下した場合、このあり形状の原稿固定プレートのみを取換えれば良く、きわめて経済的である。
【００４４】また、請求項５記載の発明では、あり形状の原稿固定用プレートまたは／および原稿載置台に、前記あり形状の原稿固定用プレートを取外すための切欠きが形成されているので、この切欠きに指を入れ、あり形状の原稿固定用プレートを原稿載置台から取り外すことができ。この結果、ドライバーなどの工具を必要とせずに、きわめて簡単に、あり形状の原稿固定用プレートの取換えができ都合がよい。
【００４５】また、請求項６記載の発明では、粘着力が低下した場合、粘着部の古くなった粘着テープを取外し、新しい粘着テープに取換えればよく、きわめて経済的である。
【００４６】更に、請求項７記載の発明では、粘着力が低下した場合、粘着部に付着した塵埃を水やウェットティッシュなどにより拭い取れすればよく、きわめて経済的である。
【図面の簡単な説明】
【図１】本発明の一実施の形態による原稿読取装置の概略平面図である。
【図２】図１の要部を拡大して示す拡大断面図である。
【図３】図１に示すＬ字状の原稿固定用プレートの斜視図である。
【図４】本発明の他の実施の形態による原稿読取装置の概略平面図である。
【図５】図４の要部を拡大して示す拡大断面図である。
【図６】本発明の更に他の実施の形態による原稿読取装置の概略平面図である。
【図７】図６の要部を拡大して示す拡大断面図である。
【図８】本発明の更に他の実施の形態による原稿読取装置の概略平面図である。
【図９】図８の要部を拡大して示す拡大断面図である。
【図１０】あり形状の原稿固定プレートの一例を示す概略図である。
【符号の説明】
１    原稿
２    原稿載置台
２１  コンタクトガラス
２２  基準端面
２３  基準端面
２４  切欠き
３    カバー
４    原稿固定プレート
４１  粘着部
４３  テーパー面
４４  切欠き
【図１】
2004264722.tif 000003
【図２】
2004264722.tif 000004
【図３】
2004264722.tif 000005
【図４】
2004264722.tif 000006
【図５】
2004264722.tif 000007
【図６】
2004264722.tif 000008
【図７】
2004264722.tif 000009
【図８】
2004264722.tif 000010
【図９】
2004264722.tif 000011
【図１０】
2004264722.tif 000012